(57)【要約】  【課題】  映像音色用ケーブルをＡＶ機器のＡＶ基板に直に接続しておくことにより、接続がわからないユーザーが映像音色用ケーブルをＡＶ基板のコネクタに接続する面倒な作業が必要でなく、接続作業を省くことができるＡＶ機器における映像音色用ケーブルの取付構造を提供する。【解決手段】  ＡＶ機器１内に配置されたＡＶ基板３に映像用ケーブル４とライト側音色用ケーブル５とレフト側音色用ケーブル６とからなる映像音色用ケーブルを接続して取り付けるようにしたＡＶ機器における映像音色用ケーブルの取付構造であって、各ケーブル４、５、６の信号線７とグランド８とをＡＶ基板３に直に接続して取り付けるようにした。【選択図】  図１
2009027589.tif 000002
【特許請求の範囲】
【請求項１】
ＡＶ機器内に配置されたＡＶ基板に映像用ケーブルとライト側音色用ケーブルとレフト側音色用ケーブルとからなる映像音色用ケーブルを接続して取り付けるようにしたＡＶ機器における映像音色用ケーブルの取付構造であって、前記各ケーブルの信号線とグランドとを前記ＡＶ基板に直に接続して取り付けるようにしたことを特徴とするＡＶ機器における映像音色用ケーブルの取付構造。
【請求項２】
前記各ケーブルの信号線は前記ＡＶ基板に別々に接続して取り付けられ、前記グランドは３本を束にして前記ＡＶ基板の一箇所に接続して取り付けられるようにした請求項１に記載のＡＶ機器における映像音色用ケーブルの取付構造。
【請求項３】
前記各ケーブルの一方側のコネクタのグランドは一部が切り欠かれた円弧状に形成され、前記ＡＶ基板には前記円弧状のグランドが挿入されて接続される円弧状の穴部が形成されると共にこの円弧状の穴部の内側中央に信号線が挿入されて接続される穴部が形成され、前記各ケーブルの一方側のコネクタのグランドと信号線を前記ＡＶ基板に形成された前記円弧状の穴部と前記内側中央の穴部に挿入して接続するようにした請求項１に記載のＡＶ機器における映像音色用ケーブルの取付構造。
【発明の詳細な説明】
【技術分野】
【０００１】
本発明は、ＡＶ機器内に配置されたＡＶ基板に映像用ケーブルとライト側音色用ケーブルとレフト側音色用ケーブルとからなる映像音色用ケーブルを接続して取り付けるようにしたＡＶ機器における映像音色用ケーブルの取付構造に関するものである。
【背景技術】
【０００２】
従来、ＡＶ基板のコネクタに接続する映像用ケーブルとライト側音色用ケーブルとレフト側音色用ケーブルとからなる映像音色用ケーブルのコネクタは、ユーザーがＡＶ基板のコネクタに接続する作業がわからないことがあり、この作業が行い難いと共に、面倒であり、しいてはコネクタの接続を間違う虞があるという問題があった。
【０００３】
第１の従来技術を図５（ａ）（ｂ）に示す。この従来の表示装置は、図５（ａ）（ｂ）に示すように、ＡＶ端子群１０３を着脱式のＡＶ端子ボックス１０２とし、このＡＶ端子ボックス１０２をＰＤＰテレビ１０１に嵌め込むように構成し、このＡＶ端子ボックス１０２をはずしてＡＶケーブル１０４をこのＡＶ端子ボックス１０２のＡＶ端子群１０３に接続するようにしている。（例えば、特許文献１参照）。
【０００４】
ところが、この従来の表示装置においても、ＡＶ端子ボックス１０２のＡＶ端子群１０３にＡＶケーブル１０４を接続しなければならず、ユーザーはこの接続作業が行い難く、面倒であるという問題があった。
【特許文献１】特開２００４−１５２７７号公報
【発明の開示】
【発明が解決しようとする課題】
【０００５】
本発明は、上記従来の問題に鑑みてなされたものであって、映像音色用ケーブルをＡＶ機器のＡＶ基板に直に接続しておくことにより、接続がわからないユーザーが映像音色用ケーブルをＡＶ基板のコネクタに接続する面倒な作業が必要でなく、接続作業を省くことができるＡＶ機器における映像音色用ケーブルの取付構造を提供することを目的としている。
【課題を解決するための手段】
【０００６】
本発明は、上記課題を解決するために提案されたものであって、請求項１に記載の発明は、ＡＶ機器内に配置されたＡＶ基板に映像用ケーブルとライト側音色用ケーブルとレフト側音色用ケーブルとからなる映像音色用ケーブルを接続して取り付けるようにしたＡＶ機器における映像音色用ケーブルの取付構造であって、前記各ケーブルの信号線とグランドとを前記ＡＶ基板に直に接続して取り付けるようにしたことを特徴としている。
【０００７】
請求項２に記載の発明は、請求項１に記載の発明において、前記各ケーブルの信号線は前記ＡＶ基板に別々に接続して取り付けられ、前記グランドは３本を束にして前記ＡＶ基板の一箇所に接続して取り付けられるようにした。
【０００８】
請求項３に記載の発明は、請求項１に記載の発明において、前記各ケーブルの一方側のコネクタのグランドは一部が切り欠かれた円弧状に形成され、前記ＡＶ基板には前記円弧状のグランドが挿入されて接続される円弧状の穴部が形成されると共にこの円弧状の穴部の内側中央に信号線が挿入されて接続される穴部が形成され、前記各ケーブルの一方側のコネクタのグランドと信号線を前記ＡＶ基板に形成された前記円弧状の穴部と前記内側中央の穴部に挿入して接続するようにした。
【発明の効果】
【０００９】
請求項１に記載の発明によれば、映像用ケーブルとライト側音色用ケーブルとレフト側音色用ケーブルとからなる映像音色用ケーブルをＡＶ機器のＡＶ基板に直に接続しておくことにより、接続がわからないユーザーが各ケーブルをＡＶ基板のコネクタに接続する面倒な作業が必要でなく、接続作業を省くことができる。更に、ユーザーは各ケーブルをテレビジョン受像機やスピーカーに接続するだけで済む利点がある。
【００１０】
請求項２に記載の発明によれば、各ケーブルのグランドが３本を束にしてＡＶ基板の一箇所に接続して取り付けられるようにしているから、３本のグランドを別々にＡＶ基板に接続する必要がなくて作業工数を減らすことができ、また、ＡＶ基板上の省スペース化を図ることができる。
【００１１】
請求項３に記載の発明によれば、各ケーブルの一方側のコネクタのグランドと信号線をＡＶ基板に形成された円弧状の穴部と内側中央の穴部に挿入して接続しているから、各ケーブルのコネクタをＡＶ基板に接続することができて、各ケーブルからコネクタを取り外す必要がなくて、手間を省くことができ、また、コネクタをＡＶ基板に接続して取り付ける作業が行い易くて作業性を良くすることができる。
【発明を実施するための最良の形態】
【００１２】
以下、本発明に係るＡＶ機器における映像音色用ケーブルの接続構造の実施の形態について、図を参照しつつ説明する。
【００１３】
図１は本発明の第１実施形態のＡＶ機器における映像音色用ケーブルの接続構造の斜視図、図２は図１の状態から映像音色用ケーブルをリアパネルに固定した状態を示す斜視図である。
【００１４】
本発明の第１実施形態のＡＶ機器における映像音色用ケーブルの接続構造は、図１に示すように、ＡＶ機器１の筐体２内に配置されたＡＶ基板３に映像用ケーブル４とライト側音色用ケーブル５とレフト側音色用ケーブル６とからなる映像音色用ケーブルの各信号線７と各グランド８を別々に直に接続して取り付けている。この接続は各信号線７と各グランド８の先端をＡＶ基板３の表面に半田付けによって行っている。また、各ケーブル４、５、６にはブッシュ９が設けられており、図２に示すように、筐体２の裏面側にとりつけられるリアパネル１０に穿設された取付用溝１０ａに各ブッシュ９が嵌め込まれるようになっている。
【００１５】
従って、この第１実施形態によれば、接続がわからないユーザーが各ケーブル４、５、６をＡＶ基板３のコネクタに接続する面倒な作業が必要でなく、接続作業を省くことができる。更に、ユーザーは各ケーブル４、５、６をテレビジョン受像機やスピーカーに接続するだけで済む利点がある。また、各ケーブル４、５、６に設けられたブッシュ９をリアパネル１０の取付用溝１０ａに嵌め込んでいるから、各ケーブル４、５、６に外向きに引っ張る力が働いた場合に、これらのケーブル４、５、６がＡＶ基板３から取り外されてしまうことがない。
【００１６】
図３は第２実施形態のＡＶ機器における映像音色用ケーブルの接続構造の斜視図である。
【００１７】
この第２実施形態のＡＶ機器における映像音色用ケーブルの接続構造は、図３に示すように、各ケーブル４、５、６の信号線７をＡＶ基板３に別々に接続して取り付け、各グランド８は３本を束にしてＡＶ基板３の一箇所にまとめて接続して取り付けている。尚、図示しないが、各ケーブル４、５、６のブッシュ９は、リアパネル１０の取付用溝１０ａ（図２参照）に嵌め込まれるようになっている。
【００１８】
従って、この第２実施形態によれば、３本のグランド８を別々にＡＶ基板３に接続する必要がなくて作業工数を減らすことができ、また、ＡＶ基板３上の省スペース化を図ることができる。
【００１９】
図４は第３実施形態のＡＶ機器における映像音色用ケーブルの接続構造の斜視図である。
【００２０】
この第３実施形態のＡＶ機器における映像音色用ケーブルの接続構造は、図４に示すように、各ケーブル４、５、６の一方側のコネクタ１１のグランド１２は、一部が切り欠かれた円弧状に形成されている。ＡＶ基板３には、円弧状のグランド１２が挿入されて接続される円弧状の穴部３ａが形成されると共にこの円弧状の穴部３ａの内側中央に信号線１３が挿入されて接続される穴部３ｂが形成されている。円弧状のグランド１２はＡＶ基板３の円弧状の穴部３ａに挿入されて半田付けで接続され、信号線１３は内側中央の穴部３ｂに挿入されて半田付けで接続される。尚、図示しないが、各ケーブル４、５、６のブッシュ９は、リアパネル１０の取付用溝１０ａ（図２参照）に嵌め込まれるようになっている。
【００２１】
従って、この第３実施形態によれば、各ケーブル４、５、６のコネクタ１１をＡＶ基板３に接続することができて、各ケーブル４、５、６からコネクタ１１を取り外す必要がなくて、手間を省くことができ、また、コネクタ１１をＡＶ基板３に接続して取り付ける作業が行い易くて作業性を良くすることができる。
【図面の簡単な説明】
【００２２】
【図１】本発明の第１実施形態のＡＶ機器における映像音色用ケーブルの接続構造の斜視図である。
【図２】図１の状態から映像音色用ケーブルをリアパネルに固定した状態を示す斜視図である。
【図３】第２実施形態のＡＶ機器における映像音色用ケーブルの接続構造の斜視図である。
【図４】第３実施形態のＡＶ機器における映像音色用ケーブルの接続構造の斜視図である。
【図５】従来の表示装置を示し、（ａ）はその背面図、（ｂ）はそのブロック図である。
【符号の説明】
【００２３】
１      ＡＶ機器
２      筐体
３      ＡＶ基板
３ａ    円弧状の穴部
３ｂ    穴部
４      映像用ケーブル
５      ライト側音色用ケーブル
６      レフト側音色用ケーブル
７      信号線
８      グランド
９      ブッシュ
１０    リアパネル
１０ａ  取付用溝
１１    コネクタ
１２    グランド
１３    信号線
【図１】
2009027589.tif 000003
【図２】
2009027589.tif 000004
【図３】
2009027589.tif 000005
【図４】
2009027589.tif 000006
【図５】
2009027589.tif 000007